(57)【要約】【課題】商品の消費期限等を考慮した品質管理を容易にし、消費者に適切な価格で商品を提供することに貢献することができる商品管理システム、商品管理ラベル発行方法、商品管理ラベル、商品管理プログラム、及び、記憶媒体を提供する。【解決手段】管理コンピュータ１は、商品の仕入れ日若しくは前記商品が店頭に陳列され始めた時刻である陳列開始時間を含む品質管理情報を記憶する品質管理情報記憶部７ｂと、その商品の消費期限を記憶する消費期限記憶部７ａとを備えた記憶部７と、消費期限別テーブル８ａと品質管理情報別テーブル８ｂとを備えた色決定部８と、を備えている。色決定部８は消費期限別テーブル８ａと品質管理情報別テーブル８ｂとによって、同じ消費期限を有する商品を、品質管理情報別に分類しそれぞれに色を設定する。【選択図】      図１
2006172188.tif 000002
【特許請求の範囲】
【請求項１】
消費期限に応じた期間、陳列される商品を管理するための商品管理システムであって、
前記商品に取着され、前記商品の仕入れ日若しくは前記商品が店頭に陳列され始めた時刻である陳列開始時間を含む品質管理情報と、前記消費期限と、に応じて色を決定する商品管理手段と、
前記色にて着色された商品管理ラベルを印刷する印刷手段と、を備える
ことを特徴とする商品管理システム。
【請求項２】
請求項１に記載の商品管理システムは、
前記色と、前記品質管理情報及び前記消費期限によって設定される前記商品の価格と、を表示する価格表示手段をさらに備える
ことを特徴とする商品管理システム。
【請求項３】
請求項２に記載の商品管理システムにおいて、
前記商品管理手段は、前記商品の残量を算出する残量算出部を備え、
前記価格表示手段は、前記残量算出部の算出結果も考慮して前記価格を表示する
ことを特徴とする商品管理システム。
【請求項４】
消費期限に応じた期間、陳列される商品に添付される商品管理ラベルを発行する商品管理ラベル発行方法であって、
前記商品の仕入れ日若しくは前記商品が店頭に陳列され始めた時刻である陳列開始時間を含む品質管理情報と、前記消費期限と、に応じて前記商品管理ラベルを着色する色を決定するステップと、
前記決定された色にて商品管理ラベルを印刷するステップと、
を有することを特徴とする商品管理ラベル発行方法。
【請求項５】
消費期限に応じた期間、陳列される商品に添付される商品管理ラベルであって、
前記商品の仕入れ日若しくは前記商品が店頭に陳列され始めた時刻である陳列開始時間を含む品質管理情報と、前記消費期限と、に応じて設定された色に着色された着色部を有する
ことを特徴とする商品管理ラベル。
【請求項６】
管理コンピュータに対して消費期限に応じた期間、陳列される商品に添付される商品管理ラベルを発行するための処理を実行させる商品管理プログラムであって、
前記商品の仕入れ日若しくは前記商品が店頭に陳列され始めた時刻である陳列開始時間を含む品質管理情報と、前記消費期限と、を記憶する記憶部を備えた前記管理コンピュータに、前記品質管理情報及び前記消費期限に応じて前記商品管理ラベルを着色する色を決定する決定処理と、
前記決定された色にて商品管理ラベルを印刷する印刷処理と、
を実行させることを特徴とする商品管理プログラム。
【請求項７】
管理コンピュータに対して消費期限に応じた期間、陳列される商品に添付される商品管理ラベルを発行するための処理を実行させる商品管理プログラムが記憶されている記憶媒体であって、
前記商品管理プログラムは、前記商品の仕入れ日若しくは前記商品が店頭に陳列され始めた時刻である陳列開始時間を含む品質管理情報と、前記消費期限と、を記憶する記憶部を備えた前記管理コンピュータに、前記品質管理情報及び前記消費期限に応じて前記商品管理ラベルを着色する色を決定する決定処理と、
前記決定された色にて商品管理ラベルを印刷する印刷処理と、
を実行させる
ことを特徴とする記憶媒体。
【発明の詳細な説明】
【技術分野】
【０００１】
この発明は、消費期限を有する製品を管理する商品管理システム、商品管理ラベル発行方法、商品管理ラベル、商品管理プログラム、及び、記憶媒体に関する。
【背景技術】
【０００２】
食品の安全性に対する消費者の関心は強く、食品を提供し管理する管理者にはより徹底した管理が望まれている。
従来、食品などの消費期限を有する製品はその消費期限を過ぎると商品としての価値を失うため、管理者はこれらの商品を回収しなければならない。
【０００３】
消費期限を過ぎた商品を回収する際、管理者は商品毎に記載若しくは添付されている消費期限表示から回収するものとそうでないものとを区別するが、消費期限を個々の商品について確認するには時間と労力を要するため管理者にとって大きな負担となっていた。
【０００４】
このような管理者の負担を軽減するため、例えば、特許文献１には、商品の消費期限を時間帯ごとに管理しておき、商品に添付されるラベルにその時間帯に対応して異なる色を着色させる手法が開示されている。このような手法によれば、商品の消費期限を色によって判断することが可能となるため管理者の負担が軽減される。
【特許文献１】特開２０００−５６６８５号公報
【発明の開示】
【発明が解決しようとする課題】
【０００５】
ところで、消費者は、商品を選別する際、陳列された商品を手にとっては戻しを繰り返す。このような行為は、食品を傷ませる原因となり商品の品質を低下させている。よって、消費期限が同じであっても、陳列されている時間により食品の品質が均等であるとは限らないのである。
【０００６】
ところが、上述した手法は、消費期限により商品を廃棄する時期を管理しているため陳列されている時間によって変化する品質の管理には貢献することができない。
また、消費者は商品の品質に見合った価格で商品を購入するのであるから、商品価値とその価格とに差がある商品は売れ残り廃棄されることとなる。
【０００７】
この発明は、こうした従来の実情に鑑みてなされたものであり、その目的は、商品の消費期限等を考慮した品質管理を容易にし、消費者に適切な価格で商品を提供することに貢献することができる商品管理システム、商品管理ラベル発行方法、商品管理ラベル、商品管理プログラム、及び、記憶媒体を提供することにある。
【課題を解決するための手段】
【０００８】
上記目的を達成するため、本発明の第１の態様は、消費期限に応じた期間、陳列される商品を管理するための商品管理システムであって、前記商品に取着され、前記商品の仕入れ日若しくは前記商品が店頭に陳列され始めた時刻である陳列開始時間を含む品質管理情報と、前記消費期限と、に応じて色を決定する商品管理手段と、前記色にて着色された商品管理ラベルを印刷する印刷手段と、を備えることを要旨とする。
【０００９】
この商品管理システムによれば、商品管理手段から出力された色を確認することにより個々の商品の陳列開始時刻及び配送日を確認することができる。よって、陳列されるために発生する品質の低下や、仕入れ日の違い等による管理状態の変化などを考慮して商品を管理することが可能となり、より的確な価格で消費者に商品を提供することができる。
【００１０】
上述した商品管理システムにおいては、前記色と、前記品質管理情報及び前記消費期限によって設定される前記商品の価格と、を表示する価格表示手段をさらに備えることを要旨とする。
【００１１】
このような構成によれば、価格表示手段によって陳列開始時刻及び前記消費期限によって設定される前記商品の価格を消費者に開示することができる。よって、例えば個々の商品に値引きシールなどを貼らずとも商品の価格の変化を消費者に知らしめることが可能となり適切な価格で消費者に商品を提供することに貢献することができる。
【００１２】
上述した商品管理システムにおいては、前記商品管理手段は、前記商品の残量を算出する残量算出部を備え、前記価格表示手段は、前記残量算出部の算出結果も考慮して前記価格を表示することを要旨とすることができる。
【００１３】
このような商品管理手段の構成によれば、商品の残量も考慮した価格を消費者に提供することができる。よって、消費者の購買意欲を促進することが可能となり商品の余剰を低減させることに貢献できる。
【００１４】
この発明の第２の態様では、消費期限に応じた期間、陳列される商品に添付される商品管理ラベルを発行する商品管理ラベル発行方法であって、前記商品の仕入れ日若しくは前記商品が店頭に陳列され始めた時刻である陳列開始時間を含む品質管理情報と、前記消費期限と、に応じて前記商品管理ラベルを着色する色を決定するステップと、前記決定された色にて商品管理ラベルを印刷するステップと、を有することを要旨とする。
【００１５】
この商品管理ラベル発行方法によれば、色を確認することにより個々の商品の陳列開始時刻及び配送日を確認することができる。よって、陳列されるために発生する品質の低下や、仕入れ日の違いによる管理状態の変化などを考慮して商品を管理することが可能となり、より的確な価格で消費者に商品を提供することができる。
【００１６】
この発明の第３の態様では、消費期限に応じた期間、陳列される商品に添付される商品管理ラベルであって、前記商品の仕入れ日若しくは前記商品が店頭に陳列され始めた時刻である陳列開始時間を含む品質管理情報と、前記消費期限と、に応じて設定された色に着色された着色部を有することを要旨とする。
【００１７】
この商品管理ラベルによれば、着色部に着色された色を確認することにより個々の商品の陳列開始時刻及び配送日を確認することができる。よって、陳列されるために発生する品質の低下や、仕入れ日の違いによる管理状態の変化などを考慮して商品を管理することが可能となり、より的確な価格で消費者に商品を提供することができる。
【００１８】
この発明の第４の態様では、管理コンピュータに対して消費期限に応じた期間、陳列される商品に添付される商品管理ラベルを発行するための処理を実行させる商品管理プログラムであって、前記商品の仕入れ日若しくは前記商品が店頭に陳列され始めた時刻である陳列開始時間を含む品質管理情報と、前記消費期限と、を記憶する記憶部を備えた前記管理コンピュータに、前記品質管理情報及び前記消費期限に応じて前記商品管理ラベルを着色する色を決定する決定処理と、前記決定された色にて商品管理ラベルを印刷する印刷処理と、を実行させることを特徴とを要旨とする。
【００１９】
この商品管理プログラムによれば、管理コンピュータによる決定処理によって決定された色を確認することにより個々の商品の陳列開始時刻及び配送日を確認することができる。よって、陳列されるために発生する品質の低下や、仕入れ日の違いによる管理状態の変化などを考慮して商品を管理することが可能となり、より的確な価格で消費者に商品を提供することができる。
【００２０】
この発明の第５の態様では、管理コンピュータに対して消費期限に応じた期間、陳列される商品に添付される商品管理ラベルを発行するための処理を実行させる商品管理プログラムが記憶されている記憶媒体であって、前記商品管理プログラムは、前記商品の仕入れ日若しくは前記商品が店頭に陳列され始めた時刻である陳列開始時間を含む品質管理情報と、前記消費期限と、を記憶する記憶部を備えた前記管理コンピュータに、前記品質管理情報及び前記消費期限に応じて前記商品管理ラベルを着色する色を決定する決定処理と、前記決定された色にて商品管理ラベルを印刷する印刷処理と、を実行させることを要旨とする。
【００２１】
この記憶媒体によれば、管理コンピュータによる決定処理によって決定された色を確認することにより個々の商品の陳列開始時刻及び配送日を確認することができる。よって、陳列されるために発生する品質の低下や、仕入れ日の違いによる管理状態の変化などを考慮して商品を管理することが可能となり、より的確な価格で消費者に商品を提供することができる。
【発明を実施するための最良の形態】
【００２２】
以下、この発明を具体化した一実施の形態を図面に従って説明する。なお、以下の説明では、商品を購入する消費者に対して、店舗を管理しその商品を供給する立場の人達を管理者とする。
【００２３】
図１は、本実施の形態にかかる商品管理システムの概略構成を示すブロック図である。
図１に示すように商品管理システムは、管理コンピュータ１と、その管理コンピュータ１に接続された入力装置２、端末装置３、管理用ディスプレイ４、及びラベル製造装置５、を備えており、該ラベル製造装置５から商品管理ラベル６が出力される。
【００２４】
なお、本実施の形態では単一の店舗内の商品を管理する場合について示すが、ネットワークを介して管理コンピュータ１を複数の店舗に設置された端末装置３や管理用ディスプレイ４に接続し、複数の店舗に陳列されている商品を管理することも可能である。
【００２５】
管理コンピュータ１は、商品管理手段としての機能を有し、ＣＰＵ、ＲＡＭ、ＲＯＭ、ハードディスク等から構成される記憶部７と色決定部８とを備える。また、端末装置３やラベル製造装置５との通信手段を備えるとともに、各種データを出力するためのディスプレイ、ＣＤ−ＲＯＭ等の記憶媒体のデータを読み取るための読取装置を備えている。管理コンピュータ１は、入力装置２や端末装置３から入力される商品に関する情報を管理するとともに、ラベル製造装置５に出力する印刷データを作成する。
【００２６】
記憶部７は、商品に関する各種データを記憶しており、その商品の消費期限を記憶する消費期限記憶部７ａと、商品が店頭に陳列され始めた時刻である陳列開始時間や仕入れ日を含む配送日時などの品質管理情報を記憶する品質管理情報記憶部７ｂとを備えている。
【００２７】
色決定部８は、消費期限別テーブル８ａと、品質管理情報別テーブル８ｂとを備えている。色決定部８は、記憶部７に記憶されている消費期限と品質管理情報とを考慮して色を決定しその対応を管理する。色決定部８による色の決定方法については後述する。
【００２８】
入力装置２は、商品の消費期限や陳列開始時刻及び仕入れ日時などの品質管理情報といった商品に関する情報を入力するための入力手段である。入力装置２として例えば、キーボード等があり、管理者は入力装置２を介して商品ごとの品質管理情報や消費期限などを入力する。
【００２９】
端末装置３は、店舗内の商品の残量を算出する残量算出部としての機能を有しており、例えば、バーコードによって商品を識別すると同時に売上個数から残量を算出することのできるレジなどが挙げられる。端末装置３によって算出された残量は管理コンピュータ１に送信される。なお、残量算出部としての機能は端末装置３単体で構成される物に限らず、例えば、端末装置３で積算された商品の売上を管理コンピュータ１が受信し商品の残量を算出するといった構成を採用することもできる。
【００３０】
管理用ディスプレイ４は、価格表示手段としての機能を有しており管理コンピュータ１から受信した商品の価格や産地などの各種情報を表示する。なお、管理用ディスプレイ４に表示される各種情報は管理コンピュータ１から送信される情報に基づき随時更新される。
【００３１】
ラベル製造装置５は、例えばカラープリンタであり、管理コンピュータ１から受信した印刷データをシールなどの媒体にカラー印刷することにより商品管理ラベル６を印刷する。
【００３２】
商品管理ラベル６は、価格や配送日時、消費期限等が数字や文字などで記載された表示部６ａと、品質管理情報と消費期限とに基づいて色決定部８によって決定された色に着色された着色部６ｂとを備えている。
【００３３】
次に、図２を用いて色決定部８による消費期限及び品質管理情報を考慮した着色部６ｂを着色する色の決定方法について説明する。
図２に示すように、色決定部８は消費期限別テーブル８ａと品質管理情報別テーブル８ｂとによって、同じ消費期限を有する商品を、製造日（陳列開始日時若しくは仕入れ日時）別に分類する。さらに、色決定部８はこのように分類された消費期限と品質管理情報との各組み合わせ毎に異なった色を設定し、その色と消費期限及び品質管理情報の各組み合わせとの対応を管理する。管理コンピュータ１は、色決定部８によって設定された色に基づき印刷データを作成し、ラベル製造装置５により着色部６ｂにその色が着色された商品管理ラベル６が印刷される（図１参照）。
【００３４】
なお、図２において、「赤」、「青」、「緑」と文字で標記しているが、実際はこれらの色に着色されているものとする。また、色決定部８によって定義された色は商品管理ラベル６の一部に記載されていれば良く、例えば、色決定部８で定義された色で商品名や価格などを印刷することも可能である（図１参照）。
【００３５】
次に、図３及び図４を用いて仕入れ日から消費期限までに数日を有する商品を管理する場合について説明する。なお、このような商品は、同一日に入荷した物であったとしても、店頭に陳列されていたものと倉庫などに保管されていたものとでは管理状態が異なるため、消費期限当日の品質に差が生じると考えられる。
【００３６】
図３は、色決定部８によって定義された消費期限及び品質管理情報の一つである陳列開始日と着色部６ｂ（図２参照）に着色される色との対応を示す説明図である。なお、本実施形態においては、消費期限の異なる２つの商品群（第１商品群１０、第２商品群１１）をそれぞれ一日ずつずらし３日に分けて店頭に陳列した。
【００３７】
図３の対応図９に示すように、第１商品群１０には色決定部８（図１参照）により陳列開始日別に「イ」「ロ」「ハ」の三色が定義される。同様に、第２商品群１１についてもそれぞれ「ニ」「ホ」「ヘ」が定義される。なお、ここで「イ」〜「ヘ」の記号で示したが実際は黄色や紫などの色が定義されるものとする。また、以後の説明においては、色決定部８により着色部６ｂの色が「イ」と定義された商品を「イ」の商品１０ａとし、「ロ」〜「ヘ」と定義された商品についても同様に「ロ」の商品１０ｂ〜「ヘ」の商品１１ｃと表わすものとする。
【００３８】
図４は、第１商品群１０の対応図９ａと管理用ディスプレイ４に表示される画像である。
管理用ディスプレイ４に表示される画像は、着色部６ｂに着色されている色と、その色に定義された商品の価格とが対応付けられて表示される。なお、商品の価格は、端末装置３から管理コンピュータ１に入力される商品の残量も考慮した値となっており端末装置３からの情報により随時変更される。
【００３９】
「イ」の商品１０ａについては消費期限までに５日間店頭に陳列され、「ハ」の商品１０ｂについては消費期限までに３日間陳列されるため、消費期限当日には「イ」の商品１０ａと「ハ」の商品１０ｃとの間では品質に差が生じる。
【００４０】
よって、図４に示すように第１商品群１０について、陳列が開始された日別に価格を設定し、その価格と着色部６ｂの色との対応を管理用ディスプレイ４に表示することにより、消費期限が同じ商品であるにも関わらず品質に応じた価格で提供することが可能となる。また、消費者は管理用ディスプレイ４に表示された値段によって価格を把握することができる。
【００４１】
また、図３に示すように、「ニ」の商品１１ａは、「ロ」の商品１０ｂよりも消費期限が遅いが、第１商品群１０が消費期限となった時点で両者は同じ期間店頭に陳列されている。さらに、「ニ」の商品１１ａは、「ハ」の商品１０ｃと比較して消費期限が遅いにもかかわらず「ニ」の商品１１ａよりも陳列期間が長いため「ハ」の商品１０ｃより品質が劣る虞がある。
【００４２】
しかし、このように消費期限によって品質が把握できない場合でも商品管理ラベル６の着色部６ｂを着色する色が図３に示すように定義されているため、管理者は着色部６ｂによってこれら商品の管理状態を把握し、陳列期間の長い商品に注意することができる。
【００４３】
以上記述したように、本実施の形態によれば、以下の効果を奏する。
（１）商品管理ラベル６の着色部６ｂに着色された色を確認することで個々の商品の陳列開始時刻及び配送日を確認することができる。よって、陳列されることによって発生する品質の低下や、配送日の違いによる管理状態の変化などを考慮して商品を管理することが可能となり、より的確な価格で消費者に商品を提供することができる。
【００４４】
（２）管理用ディスプレイ４により陳列開始時刻及び消費期限によって設定される商品の価格を消費者に開示することができる。よって、例えば個々の商品に値引きシールなどを貼らずとも商品の価格の変化を容易に消費者に開示することが可能となり、適切な価格で消費者に商品を提供することに貢献することができる。また、管理コンピュータ１から送信される情報は随時更新されるため、複数の端末装置３に対して同時に情報を提供することができる。
【００４５】
（３）端末装置３から商品の残量に関する情報が入力されるため、商品の残量も考慮した価格を消費者に提供することができる。よって、商品の余剰を低減させることに貢献することができる。
【００４６】
なお、上記実施の形態では、以下の態様に変更した変形例を採用してもよい。
（変形例１）上記実施形態において、管理コンピュータ１と端末装置３を１つのコンピュータにより実現してもよい。また、上記商品管理システムは、１つ又は複数のコンピュータに商品管理プログラムをインストールすることにより実現されることもできる。尚、上記実施形態又はこの変形例に於いて、商品管理プログラムは、フレキシブルディスクやＣＤ−ＲＯＭ等の可搬型媒体やネットワーク接続された他の計算機の主記憶装置や補助記憶装置等に格納されて提供される。提供された商品管理プログラムは、可搬型媒体から直接計算機の主記憶装置にロードされ、または、可搬型媒体から一旦補助記憶装置にコピーもしくはインストール後に主記憶装置にロードされ、実行される。また、ネットワーク接続された他の装置に格納されて提供された場合も、他の装置からネットワークを経由して受信後に補助記憶装置にコピーもしくはインストールされ、主記憶装置にロードされ実行されるものである。
【００４７】
（変形例２）上記実施形態では、管理用ディスプレイ４によって商品管理ラベル６の着色部６ｂに着色された色と価格との対応を開示する構成としたが、例えば着色部６ｂに着色された色と価格との対応をカードや紙に印刷することによって開示してもよい。
【００４８】
（変形例３）上記実施形態では、色決定部８が色を決定する根拠となる品質管理情報と消費期限とは記憶部７に記憶されているとした。このような構成によらずとも、品質管理情報と消費期限とを入力装置２から随時入力し、その入力された情報に基づいて色決定部８が色を決定するといった構成を採用することもできる。
【００４９】
（変形例４）上記実施形態では、色決定部は消費期限別テーブル８ａと品質管理情報別テーブル８ｂとによって色を決定するとした。しかし、このような形態に限らず、消費期限と品質管理情報とを考慮した分類ごとにランダムに色を設定し、その対応を記憶し管理するといった構成とすることもできる。
【図面の簡単な説明】
【００５０】
【図１】本実施の形態における商品管理システムを示すブロック図。
【図２】本実施の形態における処理の概略を示す概念図。
【図３】本実施の形態によって定義される対応関係を示す説明図。
【図４】本実施の形態の一実施例を示す概略図。
【符号の説明】
【００５１】
１…管理コンピュータ、２…入力装置、３…端末装置、４…管理用ディスプレイ、５…ラベル製造装置、６…商品管理ラベル、６ａ…表示部、７…記憶部、７ａ…消費期限記憶部、７ｂ…品質管理情報記憶部、８…色決定部、８ａ…消費期限別テーブル、８ｂ…品質管理情報別テーブル、１０ａ〜１０ｃ，１１ａ〜１１ｃ…色決定部によって色分けされた商品。
【図１】
2006172188.tif 000003
【図２】
2006172188.tif 000004
【図３】
2006172188.tif 000005
【図４】
2006172188.tif 000006